(57)【要約】【課題】身長の低い保安員が使用する場合にも、前方を向いたままで旗布の下端が地面に付かないように旗布を巻き取ることができる自動巻取り式黄旗を提供する。【解決手段】旗布１０と、その上端が固定された旗棒１１と、ハンドル１２とからなる自動巻取り式黄旗である。ハンドル１２の内部に旗棒１１を正逆両方向に回転可能なモータと、その電源となるバッテリとを内蔵させる。またハンドル１２の表面にモータスイッチ２２を配置し、スイッチ操作によって旗棒１１を回転させ、旗布１０の巻上げ・巻き下ろしを可能とした。【選択図】図２
2020056908.tif 000002
【特許請求の範囲】
【請求項１】
旗布と、その上端が固定された旗棒と、旗棒の基部を保持するハンドルとからなる自動巻取り式黄旗であって、ハンドルの内部に旗棒を正逆両方向に回転可能なモータと、その電源となるバッテリとを内蔵させるとともに、ハンドルの表面にモータスイッチを配置し、スイッチ操作によって旗棒を回転させ、旗布の巻上げ・巻き下ろしを可能としたことを特徴とする自動巻取り式黄旗。
【請求項２】
ハンドルに、旗棒の基部を着脱できる旗棒ホルダを設けたことを特徴とする請求項１に記載の自動巻取り式黄旗。
【請求項３】
モータがギヤードモータであることを特徴とする請求項１または２に記載の自動巻取り式黄旗。
【発明の詳細な説明】
【技術分野】
【０００１】
本発明は、高速道路や一般道路の工事区間や事故区間などにおいて、保安員が一般通行車や工事用車両に対して誘導を行うために使用される自動巻取り式黄旗に関するものである。
【背景技術】
【０００２】
上記のような自動巻取り式黄旗としては、ハンドル付きの旗棒に旗布の上端を取り付けたものが広く使用されている。国土交通省は旗布を７０×７０ｃｍ以上のサイズであって、視認性の良いものと規定しているため、９０×９０ｃｍのサイズの黄色または橙色の旗布が一般的である。本明細書における自動巻取り式黄旗は、黄色または橙色のほか、蛍光色の旗も含むものとする。
【０００３】
このような自動巻取り式黄旗は、車に対して片側の車線に寄るように誘導したり、速度を落とすように指示したり、停止するように指示したりするために使用される。それぞれの場合について振り方や降ろし方が定められているのであるが、特に大きく頭上で振る場合には、旗布が旗棒に絡まり易い。そこで特許文献１には、ハンドルに対して旗棒を回転自在とし、旗布が旗棒に絡まりにくくした自動巻取り式黄旗が提案されている。
【０００４】
この特許文献１の構造を採用すれば、絡まりの問題はある程度解消することができる。しかし使用する保安員がハンドルを握っていても旗棒は自由に回転するため、旗棒を水平に下した待機姿勢を取ると旗布は最下位置まで垂れさがることとなる。このため、身長の低い保安員が使用すると図８に示すように旗布の下端が地面に付いてしまい、その状態から足を踏み出すと旗布が足に絡まり、躓いたりするおそれがあった。
【０００５】
また、ハンドルに旗棒が固定されている一般的な自動巻取り式黄旗を用いた場合には、旗棒を水平に下した待機姿勢を取るとき、保安員はハンドルを回転させて身長に合わせて旗布を巻き取り、旗布の下端が地面に付かないようにすることができる。しかしこの動作を行うときにどうしても視線が下を向いたままとなり、前方への注意がおろそかになり勝ちである。特に経験の浅い保安員においてこの傾向が著しく、保安員の研修会においても指導者からたびたび注意を受ける状況にある。
【先行技術文献】
【特許文献】
【０００６】
【特許文献１】特開２００３−１３１６０２号公報
【発明の概要】
【発明が解決しようとする課題】
【０００７】
従って本発明の目的は上記した従来の問題点を解決し、身長の低い保安員が使用する場合にも、前方を向いたままで旗布の下端が地面に付かないように旗布を巻き取ることができる自動巻取り式黄旗を提供することである。
【課題を解決するための手段】
【０００８】
上記の課題を解決するためになされた本発明は、旗布と、その上端が固定された旗棒と、旗棒の基部を保持するハンドルとからなる自動巻取り式黄旗であって、ハンドルの内部に旗棒を正逆両方向に回転可能なモータと、その電源となるバッテリとを内蔵させるとともに、ハンドルの表面にモータスイッチを配置し、スイッチ操作によって旗棒を回転させ、旗布の巻上げ・巻き下ろしを可能としたことを特徴とするものである。
【０００９】
なお請求項２のように、ハンドルに、旗棒の基部を着脱できる旗棒ホルダを設けた構造とすることが好ましい。また請求項３のように、モータがギヤードモータであることが好ましい。
【発明の効果】
【００１０】
本発明の自動巻取り式黄旗は、ハンドルに設けたスイッチを操作することによって旗棒を回転させ、旗布の巻上げ・巻き下ろしを可能としたものであるから、待機姿勢を取るとき、視線を下向きとすることなく旗布の下端が地面に付かないように旗布を巻き取ることができる。このため安全に優れる。しかも頭上で大きく振る場合には容易に元の標準サイズに戻すことが可能である。
【図面の簡単な説明】
【００１１】
【図１】実施形態の自動巻取り式黄旗の全体図である。
【図２】実施形態の自動巻取り式黄旗の部分拡大図である。
【図３】実施形態の自動巻取り式黄旗の平面図である。
【図４】ハンドル単体の正面図である。
【図５】ハンドルの内部構造を示す垂直断面図である。
【図６】ハンドルの内部構造を示す水平断面図である。
【図７】使用状態の説明図である。
【図８】旗布の下端が地面に付いた状態を示す図である。
【発明を実施するための形態】
【００１２】
以下に本発明の実施形態を示す。
図１は本発明の実施形態の自動巻取り式黄旗の全体図、図２はその部分拡大図、図３は平面図である。本発明の自動巻取り式黄旗も、従来と同様、旗布１０と、旗棒１１と、旗棒１１の基部を保持するハンドル１２とからなる。旗布１０は９０×９０ｃｍのサイズであり、その色は黄色、橙色、または黄色系の蛍光色である。旗布１０の上端は、旗棒１１に回転しないように取り付けられている。
【００１３】
図４はハンドル１２の正面図であり、図５はその内部構造を示す垂直断面図であり、図６は水平断面図である。図４に示されるように、ハンドル本体１３の端部から旗棒ホルダ１４が突出しており、旗棒１１の基部を旗棒ホルダ１４に差し込んで固定できるようになっている。旗棒ホルダ１４は例えば直径が１５ｍｍのパイプである。多くの旗棒１１は直径が１３ｍｍのパイプからなるものであるから、その基部を図５、図６のように差し込めばよい。ハンドル本体１３の外周には、滑り止め１５を形成しておくことが好ましい。
【００１４】
図５に示すように、ハンドル１２の内部には正逆両方向に回転可能なモータ１６が設けられているモータ１６は直流モータであり、モータ固定金具１７によりハンドル本体１３の中心に固定されている。
【００１５】
モータ１６の回転軸１７の先端は円柱体１８に固定され、円柱体１８の先端は旗棒ホルダ１４の内部に固定されている。また旗棒ホルダ１４は前後２か所のパイプホルダ１９によってハンドル本体１３に対して回転自在に保持されている。このためモータ１６を回転させれば、旗棒ホルダ１４を回転させることができ、旗棒ホルダ１４に差し込まれた旗棒１１を回転させることができる。
【００１６】
ハンドル本体１３の後方部には、モータ１６の電源となるバッテリ２０が内蔵されている。本実施形態では９Ｖのバッテリが用いられているが、電圧やバッテリの種類は適宜選択可能である。ハンドル本体１３の後端にはバッテリキャップ２１が取り付けられており、バッテリ２０を交換したり充電したりする際に、バッテリキャップ２１を外せばバッテリ２０を容易に取り出せる構造となっている。
【００１７】
ハンドル本体１３の表面には、モータスイッチ２２が配置されている。このモータスイッチ２２はバッテリ２０からモータ１６に給電される電流の極性を切り替えることにより、モータ１６を正転または逆転させるためのものである。またスイッチをオンとする時間だけモータ１６を回転させることができるものである。モータスイッチ２２の型式は任意であり、図示のような切替スイッチのほか、正転・逆転の２つのスイッチを並べてもよい。
【００１８】
このように構成された本発明の自動巻取り式黄旗は、従来のものと同様に高速道路や一般道路などにおいて、保安員が車両の誘導を行うために使用されるものであるが、スイッチ操作によって旗棒１１を回転させ、旗布１０の巻上げ・巻き下ろしを行うことができる。このため、保安員は図７に示す待機姿勢に入ったとき、ハンドル本体１３のモータスイッチ２２を操作して、旗布１０を自分の背丈に応じて巻上げ、旗布１０の下端が地面に付かないようにすることができる。従って身長が低い保安員が使用しても、つまづくおそれがない。
【００１９】
しかもこの操作は、視線を下向きとすることなく前方への注意を怠ることなく行うことができるので、安全性に優れる。また頭上で大きく振る動作を行う場合には、モータスイッチ２２を操作することにより巻き上げた旗布１０を速やかに元に戻すことができる。
【００２０】
なお、この実施形態のように、ハンドルに旗棒ホルダを設け、旗棒１１を着脱可能としておけば、旗棒１１が汚れたり破れたりした場合に、容易に交換可能である。
【００２１】
旗布１０も旗棒１１も軽量であるから、モータ１６及びバッテリ２０も小型のものでよい。このためハンドル１２の重量増加も従来品に比較してごくわずかであるうえ、重心がハンドル１２の位置となるから、旗を操作しやすい利点もある。
【符号の説明】
【００２２】
１０  旗布
１１  旗棒
１２  ハンドル
１３  ハンドル本体
１４  旗棒ホルダ
１５  滑り止め
１６  モータ
１７  モータ固定金具
１８  円柱体
１９  パイプホルダ
２０  バッテリ
２１  バッテリキャップ
２２  モータスイッチ
【図１】
2020056908.tif 000003
【図２】
2020056908.tif 000004
【図３】
2020056908.tif 000005
【図４】
2020056908.tif 000006
【図５】
2020056908.tif 000007
【図６】
2020056908.tif 000008
【図７】
2020056908.tif 000009
【図８】
2020056908.tif 000010